(57)【要約】【課題】光端末装置の外部から接続作業が容易にでき、接続後に光コネクタが容易に抜けることがないような光端末装置の光ファイバ接続構造を得る。【解決手段】光ファイバケーブル４の端末に設けられた光コネクタ７を、光端末装置の下部筐体２の側壁面２ａに設けた開口部２ｂから挿入し、下部筐体２の内部に設けた光アダプタ５に接続するようにし、このときの光アダプタ５の固定位置を、光アダプタ５に光コネクタ７が接続された状態で光コネクタ７の後端部が開口部２ｂから僅かに外部に露出するような位置とした。【選択図】図２
2006301099.tif 000002
【特許請求の範囲】
【請求項１】
光端末装置に設けられた光アダプタに、光ファイバケーブルの端末に設けられた光コネクタを接続する光端末装置の光ファイバ接続構造において、
上記光アダプタを上記光端末装置の筐体の内部に配置し、上記光コネクタを上記筐体の側壁面に設けた開口部から挿入して上記光アダプタに接続するようにし、上記光アダプタに上記光コネクタが接続された状態で上記光コネクタの後端部が上記開口部から外部に露出するように構成したことを特徴とする光端末装置の光ファイバ接続構造。
【請求項２】
請求項１記載の光端末装置の光ファイバ接続構造において、上記光コネクタはメカニカルスプライス付光コネクタとし、上記メカニカルスプライス付光コネクタのコネクタ部とメカニカルスプライス部との間に形成される隙間に、挿入用アダプタが装着されていることを特徴とする光端末装置の光ファイバ接続構造。
【請求項３】
光端末装置に設けられた光アダプタに、光ファイバケーブルの端末に設けられた光コネクタを接続する光端末装置の光ファイバ接続構造において、
上記光端末装置の筐体の外面部に、一端側を上記筐体の側壁に連通させた溝部と、この溝部の他端側に上記溝部に連通させて上記光コネクタの接続部を収容するための収容部とを形成し、上記収容部に配置した上記光アダプタに上記光コネクタを接続し、上記光ファイバケーブルを上記溝部へ収納するように構成し、上記光ファイバケーブルが上記溝部からはみ出すのを防止するはみ出し防止機構を備えたことを特徴とする光端末装置の光ファイバ接続構造。
【請求項４】
請求項３記載の光端末装置の光ファイバ接続構造において、上記はみ出し防止機構は、上記溝部及び上記収納部を覆う着脱可能なカバーであることを特徴とする光端末装置の光ファイバ接続構造。
【請求項５】
請求項３記載の光端末装置の光ファイバ接続構造において、上記はみ出し防止機構は、上記溝部に設けた光ファイバ押さえであることを特徴とする光端末装置の光ファイバ接続構造。
【請求項６】
請求項３〜請求項５のいずれか１項に記載の光端末装置の光ファイバ接続構造において、上記溝部を上記光ファイバケーブルの許容曲率半径以上で分岐させて、上記溝部が上記筐体の側壁と複数箇所で連通するようにしたことを特徴とする光端末装置の光ファイバ接続構造。
【発明の詳細な説明】
【技術分野】
【０００１】
この発明は、例えば、高速インターネット光ファイバ通信において、光ファイバケーブルをオフィスまたは各家庭に引き込む場合等の、光端末装置の光ファイバ接続構造に関するものである。
【背景技術】
【０００２】
従来の光ファイバケーブル収納箱としては、例えば、光ファイバケーブルを引き込む複数個の引込部が一方向の巻回方向となるように箱壁に設けられ、収納箱内には光ケーブルの保持部と巻回部が設けられて構成されており、引き込み部から引き込まれた光ファイバケーブルを、収納箱内部で光コネクタ付光ファイバとスプライスにより接続し、余長部分を巻回部に巻回して収納するようになっている。光コネクタは箱内の信号変換器のレセプタクルに接続されている（例えば、特許文献１参照）。
【０００３】
【特許文献１】特開２００４−６１９８４号公報（第２頁、図３）
【発明の開示】
【発明が解決しようとする課題】
【０００４】
上記のような従来の光ファイバケーブル収納箱の光ファイバ接続構造では、収納箱の内部にスプライスを設けて内部で余長処理を行っているので、接続時には収納箱の開閉が必要で作業性が悪く、また、余長部を収納するためのスペースが必要であり小型化できないという問題点があった。そこで、近年、装置内部でのスプライスを廃止し、メカニカルスプライス付光コネクタを装置外部に直接取り付ける手法も採用されるようになってきたが、この場合には光コネクタが外部に露出してしまうため、エンドユーザに容易に抜かれないような対策が必要であるという新たな問題点が発生した。
【０００５】
この発明は上記のような問題点を解消するためになされたもので、光端末装置に設けた光アダプタに、外部から光コネクタを接続できると共に、光コネクタが容易に抜けることのない光端末装置の光ファイバ接続構造を得ることを目的とする。
【課題を解決するための手段】
【０００６】
この発明に係わる光端末装置の光ファイバ接続構造は、光端末装置に設けられた光アダプタに、光ファイバケーブルの端末に設けられた光コネクタを接続する光端末装置の光ファイバ接続構造において、光アダプタを光端末装置の筐体の内部に配置し、光コネクタを筐体の側壁面に設けた開口部から挿入して光アダプタに接続するようにし、光アダプタに光コネクタが接続された状態で光コネクタの後端部が開口部から外部に露出するように構成したものである。
【０００７】
また、光端末装置の筐体の外面部に、一端側を筐体の側壁に連通させた溝部と、この溝部の他端側に溝部に連通させて光コネクタの接続部を収容するための収容部とを形成し、収容部に配置した光アダプタに光コネクタを接続し、光ファイバケーブルを溝部へ収納するように構成し、光ファイバケーブルが溝部からはみ出すのを防止するはみ出し防止機構を備えたものである。
【発明の効果】
【０００８】
この発明の光端末装置の光ファイバ接続構造によれば、光アダプタを筐体内に配置し、光コネクタを筐体側壁面の開口部から挿入して光アダプタに接続した状態で、光コネクタの後端部が開口部から外部に露出するように構成したので、光ファイバケーブルを光端末装置に外部から容易に接続できると共に、接続後は誤って光コネクタを抜かれることがなく、信頼性の高い光端末装置の光ファイバ接続構造を得ることができる。
【０００９】
また、光端末装置の筐体の外面部に、溝部とそれに連通する収容部とを形成し、収容部に配置した光アダプタに光コネクタを接続し、光ファイバケーブルを溝部へ収納し、溝からのはみ出し防止機構を備えて構成したので、光ファイバケーブルを外部から簡単に接続できると共に、誤って光コネクタを抜かれて通信遮断となるような不具合を軽減することができる。
【発明を実施するための最良の形態】
【００１０】
実施の形態１．
図１は実施の形態１による光端末装置の光ファイバ接続構造を示す斜視図であり、図２は図１の要部拡大平面図である。図のように、光端末装置は、光モジュール１や基板などの電子部品（図示せず）が搭載される下部筐体２とそれを覆う上部筐体３とで構成されている。下部筐体２は平面から見て略矩形状をし、四周に側壁面２ａが立設されており、側壁面２ａの一面に外部から光ファイバケーブル４を導入するための開口部２ｂが形成されている。開口部２ｂの内側には、光アダプタ５が固定部材６によって固定されている。そして、この光アダプタ５に、光ファイバケーブル４の端末に設けられた光コネクタ７が接続されるように構成されている。
なお、図の光コネクタ７は、光ファイバの心線同士を突き合わせて接続するメカニカルスプライス部８が付属した、メカニカルスプライス付光コネクタの場合を示している。
【００１１】
次に、光アダプタ５の固定位置について説明する。図２の（ａ）は接続完了後の状態を、（ｂ）は接続前の光ファイバケーブル側の先端部を示す。図に示すように、光コネクタ７は、側壁面２ａの開口部２ｂから内部に挿入され、光アダプタ５に接続されて、（ａ）のようになる。この状態において、光コネクタ７の後端部が下部筐体２の開口部２ｂから外部側に僅かに（例えばＤ寸法が数ｍｍ程度以下に）露出するように位置決めされて固定部材６が設けられている。すなわち、光コネクタ７の後端部のみを残し、ほとんどが筐体２内に挿入されるように構成されている。
【００１２】
次に、作用について説明する。光コネクタ７の接続作業は、下部筐体２と上部筐体３が閉じられた状態で行う。図２（ｂ）に点線で示すように、作業者は光コネクタ７を指で掴んで開口部２ｂから下部筐体２内に挿入し、矢印方向に光アダプタ５へ差し込んで接続する。接続を完了し（ａ）のような状態になると、光コネクタ７の掴み代が無くなるため、光アダプタ７を引き抜くことはできない。すなわち、光コネクタ７は、外部から容易に挿入して接続することはできるが、取り外すことは簡単にはできないような構造となっている。もし、取り外しが必要な場合は、上下の筐体２，３を開けて行う。
【００１３】
上記で説明した図１，図２の構成では、光コネクタの接続作業において、挿入作業の最後の方では掴み代が少なく若干やりづらい。そこで、挿入時の作業性を改善した別の実施の形態を、図３〜図５に示す。図３はその平面図、図４は斜視図、図５は更に変形例を示す平面図である。前述のように、光コネクタ７には、メカニカルスプライス部８が設けられている。そこで、図のように、光コネクタ７とメカニカルスプライス部８の間に形成される隙間に、挿入用アダプタ９を装着するものである。
挿入用アダプタ９は、図４の斜視図に示すように、隙間の一方側から挿入でき、着脱可能となっている。そして、挿入用アダプタ９を装着した状態では、光コネクタ７とメカニカルスプライス部８とが機械的に繋がるように構成されている。
【００１４】
挿入用アダプタ９の作用について説明する。メカニカルスプライス部８はそれ自身は一定の強度を有するが、光コネクタ７との接続部に曲げ方向に力がかかるのは、光ファイバにストレスを与えるので好ましくない。従って、挿入用アダプタ９が無い状態でメカニカルスプライス部８に力を掛けるのは好ましくないが、挿入用アダプタ９を装着することにより、光コネクタ７を挿入する際にメカニカルスプライス部８を持って行うことができ、光コネクタ７の挿入作業が容易となる。なお、接続作業時以外は外しておいても良い。
【００１５】
図５は、挿入用アダプタの更に別の形態を示すものである。この挿入用アダプタ１０は、光コネクタ７とメカニカルスプライス部８との隙間を埋めると共に、メカニカルスプライス部８を覆うように形成している。このような形状とすることで、光コネクタ７を光アダプタ５に接続するとき、メカニカルスプライス部８に直接触れることなく、挿入用アダプタ１０を持って矢印方向に押し込めば、力が光コネクタ７に伝達されて容易に接続することができる。
【００１６】
なお、図３〜図５のように挿入用アダプタ９又は１０を装着する場合は、光コネクタ７はメカニカルスプライス付光コネクタであることが必須であるが、挿入用アダプタを装着しない図１，２のような場合の光コネクタは、必ずしもメカニカルスプライス付である必要は無い。
【００１７】
以上のように、本実施の形態の発明によれば、光アダプタを筐体の内部に配置し、光コネクタを筐体側壁面の開口部から挿入して内部の光アダプタに接続した状態で、光コネクタの後端部が筐体側壁面の開口部から外部に露出するように構成したので、光ファイバケーブルを光端末装置に外部から容易に接続できると共に、接続後は接続部の光コネクタを筐体外部から掴むことができないので、誤って光コネクタを抜かれることがないため、信頼性の高い光ファイバ接続構造を得ることができる。
また、メカニカルスプライス付光コネクタのコネクタ部とメカニカルスプライス部との間に形成される隙間を埋めるように挿入用アダプタを装着したので、メカニカルスプライス部または挿入用アダプタを持って挿入し接続することができるので、光コネクタの光アダプタへの接続作業がより容易となる。
【００１８】
実施の形態２．
図６は実施の形態２による光端末装置の光ファイバ接続構造を示す斜視図である。図のように、光端末装置の筐体１１の外面部に、一端側を筐体１１の側壁１１ａに連通させた溝部１２と、この溝部１２の他端側に溝部１２に連通させてメカニカルスプライス付光コネクタの接続部を収容するための収容部１３とを形成している。図中の１２ａが側壁１１ａとの連通部であり、光ファイバケーブル４の導入部でもある。溝部１２に曲線部を設ける場合は、光ファイバケーブル４の許容曲率半径より大きい半径とする。
更に、光ファイバケーブル４を溝部１２へ収納したとき、溝部１２からはみ出さないように、はみ出し防止機構として、溝部１２及び収容部１３を覆う着脱可能なカバー１４を備えて構成されている。
【００１９】
光ファイバケーブル４を光端末装置に接続するときは、収容部１３に配置した光アダプタ５に光コネクタ７を接続した後、光ファイバケーブル４を溝部１２へ収容し、溝部１２及び収容部１３にカバー１４を嵌め込んで覆う。これにより、光コネクタ７を外部から触れることができなくなり、また、光ファイバケーブル４が溝部１２からはみ出すのを防止することができる。
【００２０】
なお、上記では、はみ出し防止機構としてカバー１４を設けた場合について説明したが、はみ出し防止機構の別の形態について説明する。図７（ａ）は別のはみ出し防止機構を備えた場合の光端末装置全体の斜視図、（ｂ）は（ａ）のｂ部拡大詳細図である。ここで、溝部１２及び収容部１３の形状は図６と同じである。はみ出し防止機構として、（ｂ）に示すように、溝部１２の上面側に筐体１１と一体に爪状の光ファイバ押さえ１５を形成したものである。この光ファイバ押さえ１５により、光ファイバケーブル４が溝部１２からはみ出すのを防止することができる。
【００２１】
更に別の光ファイバ押さえの例を、図８に示す。（ａ）は正面図、（ｂ）及び（ｃ）は（ａ）の矢印方向から見た断面図で、それぞれ別の例を示している。（ｂ）の光ファイバ押さえ１６は例えば樹脂をＵ字状に曲げて形成したもの、（ｃ）の光ファイバ押さえ１７は更に先端部に係止部を設けたものである。いずれも、その弾力を利用して光ファイバケーブル４を溝部１２の壁面に押さえつけるようにしたものである。
【００２２】
なお、はみ出し防止機構としてカバーを用いない場合は、光コネクタの接続部は、収容部内にあるものの外部に露出するので、図７のように、光アダプタ側を筐体の内部に固定して、接続完了状態では光コネクタ７の後端部のみが外部に露出する構造（すなわち実施の形態１の筐体と光コネクタの関係と同様）とすれば、抜け防止として、より効果的である。また、本実施の形態の発明では、光コネクタ７はメカニカルスプライス付光コネクタでなくても良い。
【００２３】
以上のように、本実施の形態の発明によれば、光端末装置の筐体の外面部に、溝部とそれに連通する収容部とを形成し、収容部に配置した光アダプタに光コネクタを接続し、光ファイバケーブルを溝部へ収納すると共に、溝からのはみ出し防止機構を備えて構成したので、光ファイバケーブルを外部から簡単に接続でき、また、光ファイバケーブルとその接続部が容易に触れにくい構造となっているため、誤って光コネクタを抜かれて通信遮断となるような不具合を回避することができる。
はみ出し防止機構をカバーとした場合は、光ファイバケーブルと接続部が完全に外部から触れられないようにでき、光ファイバ押さえとした場合は、簡単な構成で光ファイバをしっかりと保持することができる。
【００２４】
実施の形態３．
図９は実施の形態３による光端末装置の光ファイバ接続構造を示す斜視図である。本実施の形態の光ファイバ接続構造は、実施の形態２で説明した図７とほとんど同等なので、同等部分は同一符号で示し説明は省略する。異なる部分は、溝部１８を光ファイバケーブル４の許容曲率半径以上（Ｒ＞許容曲率半径）で分岐させて、溝部１８が筐体１１の側壁１１ａと複数箇所で連通するようにした点である。図９では筐体１１の４方の側壁１１ａのそれぞれに、連通箇所１８ａ〜１８ｄを設けた場合を示しているが、２方、又は３方でも良い。溝部１８には、光ファイバケーブル４のはみ出し防止機構として実施の形態２で説明した光ファイバ押さえ１６を設けている。この光ファイバ押さえは、実施の形態２の光ファイバ押さえ１５，１７、もしくはカバー１４と同等のものでも良い。
このような構成にすれば、光ファイバケーブル４を任意の方向から筐体１１に導入することが可能となる。
【００２５】
以上のように、本実施の形態の発明によれば、溝部を分岐させて、溝部が筐体の側壁と複数箇所で連通するようにしたので、実施の形態２の効果に加え、光端末装置の設置状態に応じて最適な方向から光ファイバケーブルを導入できるので、光ファイバケーブルの引き回しが少なくなり、また、光端末装置の設置の自由度が増す効果がある。
【００２６】
なお、上記実施の形態２，３の発明において、光アダプタの固定は、完全に固定しないで、例えばヒンジを設けることで、光コネクタ挿入時にはコネクタを回転させて入れやすく、挿入後はもとに戻して収納することができるような構造としても良い。
【図面の簡単な説明】
【００２７】
【図１】この発明の実施の形態１における光端末装置の光ファイバ接続構造を示す斜視図である。
【図２】図１の要部拡大平面図である。
【図３】この発明の実施の形態１における光端末装置の光ファイバ接続構造の他の例を示す平面図である。
【図４】図３の要部斜視図である。
【図５】この発明の実施の形態１における光端末装置の光ファイバ接続構造の別の例を示す平面図である。
【図６】この発明の実施の形態２における光端末装置の光ファイバ接続構造を示す斜視図である。
【図７】この発明の実施の形態２における光端末装置の光ファイバ接続構造の他の例を示す図である。
【図８】この発明の実施の形態２における光端末装置の光ファイバ接続構造の別の例を示す要部拡大図である。
【図９】この発明の実施の形態３における光端末装置の光ファイバ接続構造を示す斜視図である。
【符号の説明】
【００２８】
２  下部筐体                        ２ａ  側壁面
２ｂ  開口部                        ３  上部筐体
４  光ファイバケーブル              ５  光アダプタ
７  光コネクタ                      ８  メカニカルスプライス部
９，１０  挿入用アダプタ          １１  筐体
１１ａ  側壁                        １２  溝部
１２ａ  連通部                      １３  収容部
１４  カバー                        １５，１６，１７  光ファイバ押さえ
１８  溝部                          １８ａ〜１８ｄ  連通部。
【図１】
2006301099.tif 000003
【図２】
2006301099.tif 000004
【図３】
2006301099.tif 000005
【図４】
2006301099.tif 000006
【図５】
2006301099.tif 000007
【図６】
2006301099.tif 000008
【図７】
2006301099.tif 000009
【図８】
2006301099.tif 000010
【図９】
2006301099.tif 000011